(57)【要約】【課題】 従来の大島紬よりも肌触りが良く、より精密な柄の優良な大島紬を提供する。【解決手段】  経糸密度及び絣糸密度を大きくした大島紬である。  その製造方法は、織機に２対以上の綜絖を前後に配設し、それらに１６００本（２０算）以上の経糸を交互に挿通するとともに、踏板は一対とし、前記２対以上の綜絖が同時に前後に上下運動するようにし、かつ織密度が１ｃｍ間４０本以上となるようにして製織する。筬には、一つの筬目に３本以上の経糸を通し、筬目の羽数の増加を抑制する。【選択図】図３
2010144311.tif 000002
【特許請求の範囲】
【請求項１】
織機に２対以上の綜絖を前後に配設し、それらに１６００本（２０算）以上の経糸を交互に挿通するとともに、一対の踏板によって前記２対以上の綜絖が同時に上下運動するようにして織密度が１ｃｍ間４０本以上となるように製織することを特徴とする大島紬の製造方法。
【請求項２】
織機に２対の綜絖を前後に配設し、１７６０本（２２算）〜２２４０本（２８算）の経糸をこの２対の綜絖に交互に挿通するとともに、一対の踏板によって前記２対の綜絖が同時に上下運動するようにして織密度が１ｃｍ間４４〜５６本となるように製織することを特徴とする大島紬の製造方法。
【請求項３】
経糸に絣糸を５００本以上入れて製織することを特徴とする請求項１又は２に記載の大島紬の製造方法。
【請求項４】
織機の筬の羽数は、経糸の本数の増加に比例して増加することなく、一つの筬目に通す糸の数を３本以上として、羽数の増加を抑制して製織することを特徴とする請求項１〜３のいずれか１項に記載の大島紬の製造方法。
【請求項５】
請求項１〜４のいずれか１項に記載の方法により製造された大島紬であって、経糸の本数が２０算（１６００本）以上であり、織密度が１ｃｍ間４０本以上であることを特徴とする大島紬。
【請求項６】
請求項１〜４のいずれか１項に記載の方法により製造された大島紬であって、経糸の本数が１７６０本（２２算）〜２２４０本（２８算）であり、織密度が１ｃｍ間４４本〜５６本であることを特徴とする大島紬。
【請求項７】
経糸に絣糸を５００本以上入れることによって緻密な柄を表現してなることを特徴とする請求項５又は６に記載の大島紬。
【請求項８】
経糸に絣糸を５２０本〜７１０本以上入れることによって緻密な柄をに表現してなることを特徴とする請求項５又は６に記載の大島紬。
【請求項９】
２２算〜２８算の場合、地経糸は６〜１０匁（長さ２５４０ｍ）、絣糸も６〜１０匁（長さ２５４０ｍ）であることを特徴とする請求項５〜８のいずれか１項に記載の大島紬。
【発明の詳細な説明】
【技術分野】
【０００１】
本願発明は、従来のものより経糸密度及び絣密度を大きくした大島紬及びその製造方法に関する。
【背景技術】
【０００２】
大島紬は、鹿児島県大島地方に古来から伝承されてきた絹織物であって、紬とはいうものの、現在では紬糸でなく生糸を用いた平織であり、絣糸の製法に特徴がある。つまり、絣染めにする原料の絹糸を木綿糸を用いて締機で仮織して蓆（むしろ） を作り、この蓆を染色し、木綿糸で括った部分を防染し、蓆をほどいて絣糸をつくるもので、他の絣染、例えば括締や板締などに比較して細かい精密な絣が作製できることが大きな特徴である。
【０００３】
この大島紬は、従来、経糸本数が１３算（ヨミ、１ヨミは糸８０本）や１５．５算、絣が５〜９マルキ（１マルキは絣８０本）のものが中心となっていたが、近年１８算１２マルキのものが開発され生産されてきている。
ところが、近年、着物離れや全世界的な不況問題もあって需要の伸びが抑えられている中、新しい製品を開発して大島紬の新たな需要の開拓が望まれている。
表１に従来の大島紬の経糸の算の数とマルキ数と経糸本数との関係を、また表２に算の数による使用糸の重量と織り上げた大島紬１反の重量との関係を示した。表２にみられるように、この経糸本数を示す算、及び絣の数を示すマルキの数字は、いずれも大きくなるほど使用される糸は細くなり、製品は軽くて肌触りがよく、緻密な柄が表現できるが、経糸の本数が増えれば熟練した技術者の緻密な作業が必要となる。
【０００４】
【表１】
2010144311.tif 000003
【０００５】
【表２】
2010144311.tif 000004
【発明の開示】
【発明が解決しようとする課題】
【０００６】
上記周辺技術の状況に鑑み、本願発明者はさらに新しい絣表現を取り入れた大島紬を開発することとし、従来の大島紬では１８算、１２マルキが限界とされていたものを、２４算、１５マルキ以上の大島紬とすることを種々試行した。
しかし従来の製織技術を踏襲したのでは、綜絖の密度が高くなり過ぎ、綜絖を動かす踏み板が重くなって操作しにくくなること、また、筬の羽数が多くなりすぎ、肉眼で見え難くなり、作業が困難になることが解った。
【課題を解決するための手段】
【０００７】
本発明は上記課題を解決したもので、綜絖や筬の構造等を工夫して２４算（１９２０本）以上で製織可能とした下記構成の発明である。
（１）織機に２対以上の綜絖を前後に配設し、それらに１６００本（２０算）以上の経糸を交互に挿通するとともに、一対の踏板によって前記２対以上の綜絖が同時に上下運動するようにして織密度が１ｃｍ間４０本以上となるように製織することを特徴とする大島紬の製造方法。
（２）織機に２対の綜絖を前後に配設し、１７６０本（２２算）〜２２４０本（２８算）の経糸をこの２対の綜絖に交互に挿通するとともに、一対の踏板によって前記２対の綜絖が同時に上下運動するようにして織密度が１ｃｍ間４４〜５６本となるように製織することを特徴とする大島紬の製造方法。
（３）経糸に絣糸を５００本以上入れて製織することを特徴とする前項（１）又は（２）に記載の大島紬の製造方法。
（４）織機の筬の羽数は、経糸の本数の増加に比例して増加することなく、一つの筬目に通す糸の数を３本以上として、羽数の増加を抑制して製織することを特徴とする前項（１）〜（３）のいずれか１項に記載の大島紬の製造方法。
【０００８】
（５）前項（１）〜（４）のいずれか１項に記載の方法により製造された大島紬であって、経糸の本数が２０算（１６００本）以上であり、織密度が１ｃｍ間４０本以上であることを特徴とする大島紬。
（６）前項（１）〜（４）のいずれか１項に記載の方法により製造された大島紬であって、経糸の本数が１７６０本（２２算）〜２２４０本（２８算）であり、織密度が１ｃｍ間４４本〜５６本であることを特徴とする大島紬。
（７）経糸に絣糸を５００本以上入れることによって緻密な柄を表現してなることを特徴とする前項（５）又は（６）に記載の大島紬。
（８）経糸に絣糸を５２０本〜７１０本入れることによって緻密な柄をに表現してなることを特徴とする前項（５）又は（６）に記載の大島紬。
（９）２２算〜２８算の場合、地経糸は６〜１０匁（精錬前２２．５ｇ、精錬後１６．５ｇ〜精錬前３７．５ｇ、精錬後２８ｇ／２５４０ｍ）、絣糸は６〜１０匁（精錬前２２．５ｇ、精錬後１６．５ｇ〜精錬前３７．５ｇ、精錬後２８ｇ／２５４０ｍ）であることを特徴とする前項（５）〜（８）のいずれか１項に記載の大島紬。
【発明の効果】
【０００９】
現在、市販されている大島紬は、１３算や１５．５算、５〜９マルキが中心であって、特に柄が細かいものでも１８算、１２マルキが限界であった。
本願発明によれば、２４算、１５マルキ以上が製織可能となり、より軽く肌触りが良く、より精密な柄の表現が可能となり、大島紬の新しい需要の開拓が期待できる。
【発明を実施するための最良の形態】
【００１０】
本願発明の実施の形態を図に基づいて説明する。
図１は、本願発明の２４算、１５マルキの大島紬の作業工程表である。
図１にみられるように、大島紬の原料糸は緯地絣糸、緯本絣糸、経絣糸、経地糸の４種類があり、それぞれ異なった工程で処理される。
【００１１】
すなわち、経地絣糸、緯本絣糸、緯地絣糸は いずれも淡糊付けのあと、糸繰り、整経、糊張り、締機による絣締加工を行って蓆を作製し、制作した蓆を泥染染色した後、絣蓆解きを行い、番組、あげわく、水洗いの後、緯地絣糸、緯本絣糸は油亜美をし、小揚枠にとり管巻後織り付けをする。そして、経絣糸は仕上糊張をし、絣糸配合をし、板巻をする。
一方、経地糸は、泥染染色後、仕上げ糊付、糸繰り、地経整経をし、前記経絣糸とともに経糸配列した後、綜絖（以下綜絖と記す）、筬通しを行う。綜絖通しは、経糸の本数が通常より著しく多いため、通常１対（前１、後１）で構成される綜絖を２対（前２、後２）に増やし綜絖の開口を狭めることなく、経糸の挿通をし易くしている。
なお、経地絣糸、緯本絣糸、緯地絣糸は、泥染染色前いずれも８匁（約２２ｇ／２５４０ｍ）、経地糸は６．７５匁（約１８ｇ／２５４０ｍ）とし、泥染染色後はいずれの糸も８．５匁になるようにした。したがって、経地糸は特に泥染による増量に対応できるような糸を用いる。
【００１２】
筬には、２４算、９６０羽の作成を考えたが、人間の見える限界を超えることと、羽の数が多くなりすぎて、糸を傷める可能性があることとから、１５．５算６４０羽の一つの筬目に３本の経糸を入れることで製織できるようにした。
なお、参考のため、表３に２４算１５マルキ製織用筬の諸元を、表４に２４算１５マルキ製織用綜絖での経糸本数と重量を他の算の数それらとを比較して示した。
【００１３】
【表３】
2010144311.tif 000005
【００１４】
【表４】
2010144311.tif 000006
【００１５】
図２に、本発明の大島紬の製造方法で使用する２対の綜絖を配設した織機の構造概念図を、図３に綜絖の構造斜視図を、図４綜絖への経糸挿入方法の説明図を示した。
図において１は綜絖、２は筬、３はシャトル、４はワープビーム、５はクロスビーム、６はろくろ、７は経絣糸、８は経地糸、９は緯糸、１０は巻板である。
大島紬は平織であるから、綜絖は本来１対でよいはずである。しかし、２４算以上となると、綜絖１の密度が高くなりすぎて踏板（図示せず）の抵抗が大きくなり作業がしにくくなる。そこで、２４算の場合、図２及び図３に示すように１２算の綜絖を２対（１、１）配設し、すなわち図３に示すように、一番綜絖と三番綜絖とで構成される１対の綜絖と、二番綜絖と四番綜絖とで構成される他の１対の綜絖を配設し、経絣糸７と経糸８とを織り上げる柄に対応させて並べ、前記２対の綜絖１、１に交互に挿通し、綜絖１、１が上下運動するときの抵抗を減じて製織作業を容易にしている。このとき踏板は一対のままとし、２対の綜絖が同時に上位運動するようにした。
【００１６】
経糸のうち、経絣糸７は巻板１０に巻かれており、綜絖１、１を通って筬２を通り、クロスビーム５に巻き取られる。経地糸８はワープビーム４から経絣糸と同様に綜絖１、１を通って筬２を通り、クロスビーム５に巻き取られる。
【００１７】
経絣糸７、経地糸８はそれぞれ２対の綜絖１、１のいずれか一方に引き込まれ隣接する経糸は交互に隣の綜絖１、１に引き込まれるようにするため製織のときの抵抗が少なくなる。
【００１８】
綜絖１、１への経糸の挿通方法を図４に示す。図４では、（１）、（４）、（７）の経糸を絣糸とし（２）、（３）、（５）、（６）、（８）、の経糸を地糸とした２本おきに絣糸を配した例で示してある。
前記綜絖１、１の１枚１枚を織り口側から一番綜絖（１−１）、二番綜絖（１−２）、三番綜絖（１−３）、４番綜絖（１−４）と名付けると、（１）〜（８）……の経糸はそれぞれ一番綜絖（１−１）、三番綜絖（１−３）、二番綜絖（１−２）、四番綜絖（１−４）の順にそれぞれの綜絖に設けられた綜絖ひもの経糸挿通口１−１ａ、１−１ｂ、１−２ａ、１−２ｂ、１−３ａ、１−３ｂ、１−４ａ、１−４ｂに挿通される。大島紬は平織りであるため、一番、二番の綜絖（１−１、１−２）を前綜絖、三番、四番の綜絖（１−３、１−４）を後綜絖とし、前綜絖と後綜絖をろくろ６を介して接続し、踏み板によって上下逆方向に運動するようにしている。
【００１９】
綜絖１、１に挿通された経糸は、次に図５に示す筬２に挿通される。本発明の大島紬製造方法で使用される筬２は、前述のとおり、１５．５算の織機で使用される６４０羽の筬２の一つの筬目２ｃに３本の経糸を挿通するものである。
まず、第１番目の筬目には一番綜絖（１−１）、二番綜絖（１−２）、三番綜絖（１−３）を通ってきた経糸〔図３における（１）（２）（３）〕を、第２番目の筬目には四番走綜絖（１−４）、一番綜絖（１−１）、二番綜絖（１−２）通ってきた経糸〔図３における（４）（５）（６）〕を、３番目の筬目には三番綜絖（１−３）、四番綜絖（１−４）、一番目綜絖（１−１）を通ってきた経糸〔図３における（７）（８）（９）〕を挿通する。以後これを１９２０本について繰り返す。
【００２０】
２４算１５マルキは織り密度が高いため８丈６尺の整経長とする。３丈４尺の大島紬を製織するのに約４丈の地経糸が必要である。４尺の２反分と余裕分の６尺で整経長とする。
【図面の簡単な説明】
【００２１】
【図１】本発明の２４算、１５マルキ大島紬の製造工程図
【図２】本発明の大島紬の製造方法で使用する２対の綜絖を配設した織機の構造概念図
【図３】綜絖の構造斜視図
【図４】綜絖への経糸挿入方法の説明図
【図５】筬の正面図
【符号の説明】
【００２２】
１：綜絖
１−１：一番綜絖
１−２：二番綜絖
１−３：三番綜絖
１−４：四番綜絖
２：筬
３：シャトル、
４：ワープビーム
５；クロスビーム、
６：ろくろ
７：経絣糸
８：経地糸
９：緯糸
【図１】
2010144311.tif 000007
【図２】
2010144311.tif 000008
【図３】
2010144311.tif 000009
【図４】
2010144311.tif 000010
【図５】
2010144311.tif 000011